(57)【特許請求の範囲】
【請求項１】
省エネモードでの運転中を表示すると共に、室内ユニットから空調風として吹出す空気を濾過するフィルタの交換時期を運転時間に基づいて表示する表示部を備えた空気調和機であって、
空調運転時間を積算する積算手段と、
前記表示部に設けられ、発光色が異なる少なくとも２個の発光素子が一体となっている発光手段と、
省エネモードが選択されたときに前記発光手段の一方の発光素子を点灯させると共に、前記積算手段によって積算された時間が第１の所定時間を越えたときに前記一方の発光素子を消灯する第１の点灯制御手段と、
前記積算手段によって積算された時間が前記第１の所定時間未満で、前記第１の所定時間よりも短い第２の所定時間を越えたときに前記発光手段の他方の色の発光素子を点灯させる第２の点灯制御手段と、
を含むことを特徴とする空気調和機。
【発明の詳細な説明】
【０００１】
【発明の属する技術分野】
本発明は、室内の空気調和を図る空気調和機に関する。詳細には、運転モードの設定に応じて種々のＬＥＤ等の発光素子を点灯させて、設定されている運転モード等の表示を行なう表示部を備えた空気調和機に関する。
【０００２】
【従来の技術】
室内ユニットに設けた熱交換器と室外ユニットを循環する冷媒によって室内の空気調和を図る空気調和機（以下「エアコン」と言う）には、室内ユニットに複数のＬＥＤ等を配置した表示部が設けられており、エアコンが運転中や、タイマー運転が設定されたときなどに所定の色のＬＥＤを点灯させるようにしている。これにより、エアコンが運転中であるか否か、タイマー運転に設定されているか否かが、判断できるようになっている。
【０００３】
一方、エアコンには、運転能力を抑えることにより不必要なエネルギー消費を防止する省エネモードが設定されているものがあり、省エネモードが選択されることにより、省エネモードが選択されていることを示すＬＥＤを点灯させるようにしている。
【０００４】
また、エアコンでは、室内ユニット内に吸込んだ室内の空気を熱交換器を通過させることにより温調して、吹出し口から吹出すようにしている。このとき、室内ユニットには、フィルタが設けられており、室内ユニットに吸込んだ空気中のちりや埃を濾過するようになっている。
【０００５】
ところで、このようなフィルタは、長時間使用すると目詰まりを起こしてしまい、空気の吸引効率が低下する。このために、エアコンでは、運転時間を積算して、積算した運転時間が所定時間に達すると、表示部にフィルタ交換サイン（フィルタサイン）として設けられたＬＥＤを点灯させて、フィルタの交換時期に達したことを報知し、フィルタの交換やクリーニング等のメンテナンスを促すようにしている。
【０００６】
【発明が解決しようとする課題】
しかしながら、表示部にこのような多数のＬＥＤを設けた場合、どのＬＥＤが何を示しているかの確認が困難である。また、省エネモードで運転しているときには、フィルタの目詰まりが空調効率に大きく影響してしまう。
【０００７】
本発明は上記事実に鑑みてなされたものであり、空気調和の運転状態を効率的にかつ的確に表示できると共に、省エネモードでの運転効率の低下を防止する空気調和機を提案することを目的とする。
【０００８】
【課題を解決するための手段】
上記課題を解決するための本発明は、省エネモードでの運転中を表示すると共に、室内ユニットから空調風として吹出す空気を濾過するフィルタの交換時期を運転時間に基づいて表示する表示部を備えた空気調和機であって、空調運転時間を積算する積算手段と、前記表示部に設けられ、発光色が異なる少なくとも２個の発光素子が一体となっている発光手段と、省エネモードが選択されたときに前記発光手段の一方の発光素子を点灯させると共に、前記積算手段によって積算された時間が第１の所定時間を越えたときに前記一方の発光素子を消灯する第１の点灯制御手段と、前記積算手段によって積算された時間が前記第１の所定時間未満で、前記第１の所定時間よりも短い第２の所定時間を越えたときに前記発光手段の他方の色の発光素子を点灯させる第２の点灯制御手段と、を含むことを特徴とする。
【００１２】
この発明によれば、互いに相関関係にある情報として省エネモードで運転しているか否かと、運転時間に基づいたフィルタの交換時期を用い、互いに相関関係にある情報を、互いに異なる色を発光する発光素子を備えた発光手段を用いて表示する。
【００１３】
例えば、赤色と緑色の発光素子を用い、省エネモードでの運転の如何に拘わらず運転時間が第１の所定時間に達したときには、発光手段を赤色に点灯させる。また、運転時間がフィルタの汚れの少ない第２の所定の時間に達するまでは、発光手段を緑色に点灯させ、運転時間が省エネモードでは、フィルタの汚れが空調能力に影響を及ぼす恐れのある第１の所定時間と第２の所定時間の範囲にあるときには、双方の発光素子を点灯させることにより黄色に表示させる。
【００１４】
これにより、２種類の情報を考慮して簡潔で的確な表示を行なうことができると共に、２種類の情報の相関関係を明瞭に表示することができる。また、発光手段として異なる２色の発色光が得られる素子を選択することにより部品数を削減することができる。
【００１５】
【発明の実施の形態】
以下に本発明の一実施の形態を説明する。
【００１６】
図２には、本発明を適用した空気調和機（以下「エアコン１０」という）の冷凍サイクルを示している。このエアコン１０は、被空調室に設置される室内ユニット１２と室外に設置される室外ユニット１４によって構成されており、室内ユニット１２と室外ユニット１４とは、冷媒を循環させる太管の冷媒配管１６Ａと、細管の冷媒配管１６Ｂとで接続されている。
【００１７】
室内ユニット１２には、熱交換器１８が設けられており、冷媒配管１６Ａ、１６Ｂのそれぞれの一端がこの熱交換器１８に接続されている。また、冷媒配管１６Ａの他端は、室外ユニット１４のバルブ２０Ａに接続されている。このバルブ２０Ａは、マフラー２２Ａを介して四方弁２４に接続されている。この四方弁２４は、アキュムレータ２８を介して及びマフラー２２Ｂを介してコンプレッサ２６に接続されている。
【００１８】
さらに、室外ユニット１４には、熱交換器３０が設けられている。この熱交換器３０は、一方が四方弁２４に接続され、他方がキャピラリチューブ３２、ストレーナ３４、モジュレータ３８を介してバルブ２０Ｂに接続されている。また、ストレーナ３４とモジュレータ３８の間には、電動膨張弁３６が設けられ、バルブ２０Ｂには、冷媒配管１６Ｂの他端が接続されている。これによって、室内ユニット１２と室外ユニット１４の間に冷凍サイクルを形成する冷媒の密閉された循環路が構成されている。
【００１９】
エアコン１０は、図示しないコンプレッサモータの駆動によりコンプレッサ２６が運転されると、冷凍サイクル中を冷媒が循環される。図２では、矢印によって暖房運転時（暖房モード）と冷房運転時（冷房モードまたはドライモード）の冷媒の流れを示しており、四方弁２４の切り換えによって、運転モードが冷房モード（含むドライモード）と暖房モードが切り換えられ、電動膨張弁３６の弁開度を制御することにより、冷媒の蒸発温度が調整される。なお、本発明は、任意の構成の空気調和機に適用することができ、エアコン１０はその一例を示している。
【００２０】
図３に示されるように、室内ユニット１２は、吸込み口４８と吹出し口５０が形成されたケーシング４２内に熱交換器１８が設けられている。このケーシング４２は、ベース板４０によって被空調室の壁面等へ固定される。
【００２１】
このケーシング４２内には、熱交換器１８と吸込み口４８の間にクロスフローファン４４とフィルタ４６が配置されており、クロスフローファン４４の作動によって室内の空気がケーシング４２内へ吸引され、フィルタ４６及び熱交換器１８を通過した後、吹出し口５０から室内へ吹き出される。ケーシング４２内に吸込まれた空気が熱交換器１８を通過することにより、熱交換器１８内を循環される冷媒との間で熱交換が行われ、室内を空調する温調された空気（空調風）となる。
【００２２】
フィルタ４６は、吸込み口４８から吸込まれる室内の空気中の塵や埃を濾し取る。これにより、室内ユニット２２から塵や埃が混じった空気が空調風として吹出されるのを防止している。
【００２３】
室内ユニット１２の吹出し口５０には、左右フラップ５２と共に上下フラップ５４が設けられており、左右フラップ５２及び上下フラップ５４によって、吹出し口５０から吹き出される空調風の向きが変えられる。エアコン１０は、この左右フラップ５２及び上下フラップ５４の向きを制御することにより、吹出し口５０から任意の方向へ向けて空調風を吹出すことができるようになっている。
【００２４】
図４に示されるように、室内ユニット１２には、電源基板５６、コントロール基板５８及びパワーリレー基板６０が設けられている。エアコン１０を運転するための電力が供給される電源基板５６には、モータ電源６２、制御回路電源６４、シリアル電源６６及び駆動回路６８が設けられている。また、コントロール基板５８には、シリアル回路７０、駆動回路７２及びマイコン７４が設けられている。
【００２５】
電源基板５６の駆動回路６８には、クロスフローファン４４を駆動するファンモータ７６（例えばＤＣブラシレスモータ）が接続されており、コントロール基板５８に設けられているマイコン７４からの制御信号に応じてモータ電源６２から駆動電力を供給する。このとき、マイコン７４は、駆動回路６８からの出力電圧を１２Ｖ〜３６Ｖの範囲で２５６ステップで変化させるように制御する。これによって、室内ユニット１２の吹出し口５０から吹き出される空調風の風量が調整される。
【００２６】
コントロール基板５８の駆動回路７２には、パワーリレー基板６０、左右フラップ５２を操作する左右フラップモータ７７及び上下フラップ５４を操作する上下フラップモータ７８が接続されている。パワーリレー基板６０には、パワーリレー８０と温度ヒューズ等が設けられており、マイコン７４からの信号によって、パワーリレー８０を操作し、室外ユニット１４へ電力を供給するための接点８０Ａを開閉する。エアコン１０は、接点８０Ａが閉じられることにより、室外ユニット１４への電力の供給が可能となる。
【００２７】
左右フラップモータ７７及び上下フラップモータ７８は、マイコン７４の制御信号に応じて制御されて、左右フラップ５２及び上下フラップ５４のそれぞれを操作し、所望の領域へ向けて空調風を吹出すことができるようになっている。
【００２８】
エアコン１０は、クロスフローファン４４の回転と左右フラップ５２及び上下フラップ５４の操作が制御されることにより、所望の風量及び風向または室内を快適にするために制御された風量及び風向で空調された空気を室内へ吹出す。
【００２９】
マイコン７４及び電源回路５６のシリアル電源６６に接続されているシリアル回路７０は、室外ユニット１４へ接続されており、マイコン７４は、このシリアル回路７０を介して室外ユニット１４との間でシリアル通信を行い、室外ユニット１４の作動を制御するようになっている。なお、室外ユニット１４としては、室内ユニット１２との間でのシリアル通信等によってコンプレッサ２６の回転数が制御される一般的構成を用いることができ、本実施の形態では詳細な説明を省略する。
【００３０】
室内ユニット１２には、リモコンスイッチ１２０（図１参照）からの操作信号を受信する受信回路及び運転表示用の表示ＬＥＤ等を備えた表示基板８２が設けられており、この表示基板８２がマイコン７４に接続されている。表示基板８２には、受信部９２と表示パネル９４が設けられている。
【００３１】
図４に示されるように、マイコン７４には、室内温度を検出する室温センサ８４及び熱交換器１８のコイル温度を検出する熱交温度センサ８６が接続され、さらに、コントロール基板５８に設けられているサービスＬＥＤ及び運転切換スイッチ８８が接続されている。運転切換スイッチ８８は、「通常運転」とメンテナンス時等に行う「試験運転」との切換及び、電源スイッチ８８Ａの接点を開放してエアコン１０への運転電力の供給を遮断する「停止」に切換えられる。通常、この運転切換スイッチ８８は、「通常運転」に設定され電源スイッチ８８Ａの接点が閉じられている。なお、サービスＬＥＤは、メンテナンス時に点灯操作することにより、サービスマンに自己診断結果を知らせるようになっている。
【００３２】
室内ユニット１２には、室外ユニット１４への配線が接続される端子台９０が設けられている。この端子台９０のターミナル９０Ａ、９０Ｂ、９０Ｃには、室内ユニット１２から室外ユニット１４へ供給する電源用の配線と室内ユニット１２と室外ユニット１４の間でシリアル通信を行うための配線が接続されれる。
【００３３】
図１に示されるように、エアコン１０は、室内ユニット１２に設けられている受信部９２でリモコンスイッチ１２０又はサブリモコン１４０からの操作信号を受信すると、受信した操作信号に応じて運転するようになっている。
【００３４】
図５（Ａ）及び図５（Ｂ）には、リモコンスイッチ１２０の一例を示している。リモコンスイッチ１２０には、表示部１２２が設けられている。この表示部１２２には、運転モード、設定温度、室内温度（室温）、時刻に加え、風向、風量等のエアコン１０を運転するときの運転条件ないし運転状態が表示される。
【００３５】
また、リモコンスイッチ１２０には、運転／停止ボタン１２４、温度設定ボタン１２６Ａ、１２６Ｂと共に、人感ボタン１２８及び風向ボタン１３０が設けられている。エアコン１０は、運転／停止ボタン１２４の操作によって運転／停止される。また、温度設定ボタン１２６Ａ、１２６Ｂの操作によって設定温度（空調するときの目標温度）が変えられる。
【００３６】
メインリモコン１２０には、スライドカバー１３４内に種々の操作ボタンを有する操作パネル１３２が設けられている。この操作パネル１３２には、エアコン１０の運転モードを自動、暖房、ドライ、冷房、空気清浄、乾燥と順に切り換える運転切換ボタン１３６、吹出し口５０から吹出す空調風の風量を切り換える風量ボタン１４２、人感モードでの風向を選択する風向ボタン１４４及びタイマ設定を行なうための入ボタン１４６、切ボタン１４８等が設けられている。また、操作パネル１３２には、エアコン１０の運転能力を抑える（１／２能力）ことにより省エネ運転を図るための省エネボタン１５０が設けられている。
【００３７】
エアコン１０には、リモコンスイッチ１２０のスイッチ操作に応じた操作信号が入力されると、操作信号に応じて運転モード、空調能力等の運転条件を設定して、設定した運転条件に基づいて空調運転を行なうようになっている。
【００３８】
また、図１に示されるように、サブリモコン１４０には、人検知部１５４が設けられており、人検知部１５４でサブリモコン１４０の近傍に人がいることを検出すると、人を検知したことを示す信号と共にサブリモコン１４０の位置を示す信号を送出する。
【００３９】
エアコン１０は、リモコンスイッチ１２０の人感ボタン１２８が操作されて人感モードに移行し、サブリモコン１４０から人を検知したことを示す信号が入力されることにより、左右フラップ５２を制御して、サブリモコン１４０の近傍へ向けて空調風を吹出すようになっている。
【００４０】
ところで、図１及び図６に示されるように、表示パネル９４には、エアコン１０の運転／停止に応じて点灯する運転ランプ９６、入タイマ運転又は切タイマ運転等のタイマ運転が設定されることにより点灯するタイマ表示ランプ９８、人検知モードに設定されているか否かを表示する人感ランプ９９と共に、フィルタ４６の交換時期と省エネモードに設定されているか否かを表示するフィルタ・エコランプ１００が設けられている。
【００４１】
運転ランプ９６、タイマ表示ランプ９８及び人感ランプ９９は、それぞれ所定の色の光を発するＬＥＤが用いられている。また、フィルタ・エコランプ１００は、緑色の光を発する発光素子１０２Ｇと赤色の光を発する発光素子１０２Ｒが一体になっているＬＥＤが用いられている。
【００４２】
コントロール基板５８に設けられているマイコン７４は、エアコン１０が運転中は、運転ランプ９６を点灯させ、リモコンスイッチ１２０の操作によってタイマ運転が設定されることによりタイマ表示ランプ９８を点灯させ、人感ボタン１２８の操作によって人感モードに設定されることにより人感ランプ９９を点灯させるようになっている。
【００４３】
また、マイコン７４は、エアコン１０の運転時間を積算して、この運転時間の積算値と、省エネモードに設定するか否かに応じてフィルタ・エコランプ１００を点灯させるようになっている。
【００４４】
マイコン７４は、エアコン１０の空調運転時間を積算することにより、フィルタ４６の汚れ度合いを判断し、積算時間が所定時間に達すると、フィルタ・エコランプ１００によってフィルタ４６の交換ないしクリーニング等のメンテナンスを促す。このフィルタ４６の交換時期は、エアコン１０が省エネモードに設定されているときには、フィルタ４６の汚れによって省エネ効果が低下してしまうのを防止するために、比較的早めにフィルタ・エコランプ１００の点灯によりフィルタ４６のメンテナンスを促すようにしている。
【００４５】
すなわち、フィルタ・エコランプ１００は、フィルタ４６のメンテナンス時期を示すフィルタサインと、エアコン１０が省エネモードで運転していることを示す省エネランプの機能を兼ねている。
【００４６】
本実施の形態で適用している、フィルタ・エコランプ１００の点灯条件の一例を表１に示している。
【００４７】
【表１】
0003710933.tif 000002
【００４８】
表１に示すように、エアコン１０が省エネモードに設定されていないときには、積算時間Ｈが、時間ｈ１（例えば１５１時間）に達すると、赤色の発光素子１０２Ｒを点灯させ、積算時間が時間ｈ１に満たない状態で省エネモードに設定されているときには、緑色の発光素子１０２Ｇを点灯させる。また、省エネモードに設定されている時には、積算時間Ｈが時間ｈ１より短い時間ｈ２（ｈ１＞ｈ２、例えば５１時間）に達することにより、赤色の発光素子１０２Ｒを更に点灯させる。これにより、フィルタ・エコランプ１００が黄色に点灯させる。
【００４９】
なお、図６に示されるように、表示パネル９４にリセットボタン１０４が設けられており、フィルタ４６の交換ないしクリーニング等のメンテナンスを行なった後に、このリセットボタン１０４を操作することにより、積算時間Ｈがリセットされる（Ｈ＝０）。
【００５０】
以下に、図７乃至図９のフローチャートを参照しながら、エアコン１０に設けられているフィルタ・エコランプ１００の点灯制御を説明する。
【００５１】
図７は、エアコン１０の運転時間を積算する運転時間カウントルーチンを示している。このフローチャートは、最初のステップ２００でエアコン１０がオンされて運転を開始したか否かを確認し、運転が開始される（ステップ２００で肯定判定）ことにより、ステップ２０２へ移行して運転時間Ｈの積算を開始する。
【００５２】
ステップ２０４では、表示パネル９４に設けているリセットボタン１０４が操作されたか否かを確認し、ステップ２０６では、エアコン１０の運転が停止されたか否かを確認する。
【００５３】
これにより、エアコン１０の運転が継続（ステップ２０６で否定判定）している間は積算時間Ｈのカウントを行ない、エアコン１０が停止される（ステップ２０６で肯定判定）と、次にエアコン１０の運転が開始されるまで積算時間Ｈを記憶し、エアコン１０の運転が開始されると積算時間Ｈのカウントを再開する。
【００５４】
また、リセットボタン１０４がオン（リセット操作）されることにより、ステップ２０４で肯定判定すると、ステップ２０８へ移行して、積算時間Ｈをリセットした後、新たに積算時間Ｈのカウントを開始する。なお、リセットボタン１０４は、フィルタ４６の交換やクリーニング等のメンテナンスが終了したときにオン（リセット操作）される。
【００５５】
図８は、エコモード（省エネモード）表示ルーチンの一例を示しており、図９は、フィルタサイン表示ルーチンの一例を示している。図８に示すエコモード表示ルーチンでは、フィルタ・エコランプ１００の発光素子１０２Ｇの点灯を制御しており、図９に示すフィルタサイン表示ルーチンは、フィルタ・エコランプ１００の発光素子１０２Ｒの点灯を制御している。
【００５６】
図８のフローチャートでは、最初のステップ２１０でエアコン１０がオンしたか否かを確認し、エアコン１０がオンされることにより肯定判定されて、ステップ２１２へ移行する。このステップ２１２では、リモコンスイッチ１２０の省エネボタン１５０が操作されて、省エネモードに設定されたか否かを確認する。
【００５７】
省エネモードに設定されることにより、ステップ２１２で肯定判定されてステップ２１４へ移行する。このステップ２１４では、フィルタ４６の交換ないしクリーニングが終了してからのエアコン１０の運転の積算時間Ｈが、第１の所定時間として設定している時間ｈ１（ｈ１＝１５１）に達したか否かを確認する。
【００５８】
ここで、積算時間Ｈが時間ｈ１に達していないときには、ステップ２１４で否定判定されて、ステップ２１６へ移行し、フィルタ・エコランプ１００の発光素子１０２Ｇを点灯させる。
【００５９】
一方、積算時間Ｈが時間ｈ１に達しているとき（ステップ２１６で肯定判定）、及び省エネモードに設定されていないとき（ステップ２１２で否定判定）には、ステップ２１８へ移行し、フィルタ・エコランプ１００の発光素子１０２Ｇをオフ状態にする。
【００６０】
これにより、積算時間Ｈが時間ｈ１に達するまでは、省エネモードに設定されることにより、発光素子１０２Ｇが点灯される。なお、このフローチャートは、ステップ２２０でエアコン１０がオフ（運転停止）されたか否かを確認し、エアコン１０の運転が停止する（ステップ２２０で肯定判定）と、ステップ２２２へ移行して、発光素子１０２Ｇをオフする。
【００６１】
一方、図９に示されるフローチャートでは、最初のステップ２３０でエアコン１０がオンされたか否かを確認し、エアコン１０がオンされる（ステップ２３０で肯定判定）と、ステップ２３２へ移行する。
【００６２】
このステップ２３２では、積算時間Ｈが時間ｈ１に達しているかを確認し、また、次のステップ２３４では、積算時間Ｈが第２の所定時間として設定する時間ｈ２に達しているか否かを確認する。積算時間Ｈが時間ｈ１以上となっているときには、ステップ２３２で肯定判定され、ステップ２３６へ移行する。このステップ２３６では、フィルタ・エコランプ１００の発光素子１０２Ｒを点灯させる。また、積算時間Ｈが時間ｈ２に満たないときには、ステップ２３４で否定判定される。これにより、ステップ２４０へ移行して、発光素子１０２Ｒを消灯状態に保つ。
【００６３】
図８に示すように、省エネモードに設定されているときには、積算時間Ｈが時間ｈ１以上となると、フィルタ・エコランプ１００の発光素子１０２Ｇを消灯する。また、省エネモードに設定されているときに、積算時間Ｈが時間ｈ２に満たないときには、フィルタ・エコランプ１００の発光素子１０２Ｇは、点灯されている。
【００６４】
これにより、フィルタ・エコランプ１００は、積算時間Ｈが時間ｈ２に満たないときには、省エネモードに設定されたときにのみ緑色に発光する。また、フィルタ・エコランプ１００は、積算時間Ｈが時間ｈ１を越えることにより、省エネモードに設定されているか否かに拘わらず、フィルタ４６の清掃又は交換等のメンテナンスを促すように赤色に点灯する。
【００６５】
一方、図９のフローチャートに示すように、積算時間Ｈが、時間ｈ２以上でかつ時間ｈ１未満のときには、ステップ２３２で否定判定された後、ステップ２３４で肯定判定されて、ステップ２３８へ移行する。このステップ２３８では、省エネモードに設定されているか否かを確認し、省エネモードに設定されているとき（ステップ２３８で肯定判定）には、ステップ２３６へ移行して発光素子１０２Ｒを点灯させ、省エネモードに設定されていないとき（ステップ２３８で否定判定）には、ステップ２４０へ移行して発光素子１０２Ｒを消灯状態に保つ。
【００６６】
なお、このフローチャートは、ステップ２４２でエアコン１０がオフされたか否かを確認し、エアコン１０がオンしている間（運転中、ステップ２４２で否定判定）は所定のタイミングで繰返し実行され、エアコン１０がオフ（運転停止、ステップ２４２で肯定判定）されると、ステップ２４４へ移行して発光素子１０２Ｒを消灯させて終了する。
【００６７】
図８に示されるように、発光素子１０２Ｇは、省エネモードに設定されることにより、積算時間Ｈが時間ｈ１に満たないときには点灯しているため、省エネモードに設定されている状態で、積算時間Ｈが時間ｈ２以上、時間ｈ１未満のときには、発光素子１０２Ｇと発光素子１０２Ｒが共に点灯する。これにより、フィルタ・エコランプ１００は黄色に発色することになり、フィルタ４６の汚れが省エネモードでは、空調効率の低下を招く恐れがあり、効果的な省エネ運転の効果が得られない状態であることを明瞭に示すことができる。
【００６８】
なお、図９のフローチャートでは、エアコン１０の停止中は、フィルタサインも消えるようにしているが、フィルタサインは、エアコン１０の停止中も点灯するようにしても良い。すなわち、ステップ２３０、２４２、２４４を省略して、ステップ２３２〜２４０を繰返すようにしても良い。
【００６９】
また、本実施の形態では、フィルタ４６のの交換時期を示すフィルタサインと、省エネモードで運転されているか否かを示す省エネ表示（エコ表示）を、一つのフィルタ・エコランプ１００の色分けした発色によって表示する例を示したが、互いに相関関係がある情報及び発光色の組み合わせはこれに限るものではない。例えば、エアコン１０の運転／停止とタイマ（入タイマ及び切タイマ）の表示を一つの発光手段によって行なうようにしても良い。
【００７０】
なお、以上説明した本実施の形態は、本発明が適用される空気調和機の構成を限定するものではない。本実施の形態では、冷凍サイクルによって冷暖房を行なうエアコン１０を例に説明したが、冷凍サイクルによって冷房運転を行なうと共に温水を室内ユニットへ温水を循環させることにより暖房を行なう所謂温水式の空気調和機等の従来公知の一般的構成の空気調和機に適用することができる。
【００７１】
【発明の効果】
以上説明した如く本発明によれば、互いに相関関係にある情報として省エネモードで運転しているか否かと、運転時間に基づいたフィルタの交換時期を適用し、同一の表示手段によって色分けして表示することにより、相関関係を明瞭にして簡潔で的確な情報表示が可能となると共に、表示するための発光手段等の部品数を削減することができると言う優れた効果が得られる。
【図面の簡単な説明】
【図１】本実施の形態に適用したエアコンの室内ユニットの外観を示す概略斜視図である。
【図２】エアコンの冷凍サイクルを示す概略構成図である。
【図３】室内ユニットの内部を示す概略構成図である。
【図４】室内ユニットの電気回路の概略構成を示すブロック図である。
【図５】（Ａ）及び（Ｂ）はそれぞれリモコンスイッチの一例を示す概略図であり、（Ａ）はスライドカバーを開いた状態を示し、（Ｂ）はスライドカバーを閉じた状態を示している。
【図６】本発明を適用した表示パネルの一例を示す概略図である。
【図７】エアコンの運転時間の積算の一例を示すフローチャートである。
【図８】省エネモードの表示の一例を示すフローチャートである。
【図９】フィルタサインの表示の一例を示すフローチャートである。
【符号の説明】
１０    エアコン（空気調和機）
１２    室内ユニット
１４    室外ユニット
１８    熱交換器
２６    コンプレッサ
４６    フィルタ
５８    コントロール基板（積算手段、点灯制御手段、第１及び第２の点灯制御手段）
７４    マイコン（積算手段、点灯制御手段、第１及び第２の点灯制御手段）
９４    表示パネル（表示手段）
１００    フィルタ・エコランプ（表示手段）
１０２Ｇ、１０２Ｒ 発光素子（発光手段）
１２０    リモコンスイッチ
１５０    省エネボタン
【図１】
0003710933.tif 000003
【図２】
0003710933.tif 000004
【図３】
0003710933.tif 000005
【図４】
0003710933.tif 000006
【図５】
0003710933.tif 000007
【図６】
0003710933.tif 000008
【図７】
0003710933.tif 000009
【図８】
0003710933.tif 000010
【図９】
0003710933.tif 000011